(57)【要約】【課題】設置場所を狭くでき、小型化が可能なＩＤカードリーダを提供すること。【解決手段】無線カード１２に質問波を送信し無線カード１２が送り返す応答波を受信するアンテナ１１ｃ、および、応答波を処理し無線カード１２に記録した固有の無線カード情報Ｄ１を読み取る無線カード情報処理部１１ｅを有する無線カードリーダ１１と、磁気カード１５に記録した磁気カード情報を抽出する磁気ヘッド１４ｂ、および、磁気ヘッド１４ｂで抽出した磁気カード情報を処理し磁気カード１５に記録した固有の磁気カード情報Ｄ２を読み取る磁気カード情報処理部１４ｃを有する磁気カードリーダ１４とを具備したＩＤカードリーダにおいて、無線カードリーダ１１と磁気カードリーダ１４との間にシールド装置１６を配置した。【選択図】  図１
2005070885.tif 000002
【特許請求の範囲】
【請求項１】
無線カードに質問波を送信し前記無線カードが送り返す応答波を受信するアンテナ、および、前記応答波を処理し前記無線カードに記録した無線カード情報を読み取る無線カード情報処理部を有する無線カードリーダと、磁気カードに記録した磁気カード情報を抽出する磁気ヘッド、および、前記磁気ヘッドが抽出した前記磁気カード情報を読み取る磁気カード情報処理部を有する磁気カードリーダとを具備したＩＤカードリーダにおいて、前記無線カードリーダと前記磁気カードリーダとの間にシールド装置を配置したことを特徴とするＩＤカードリーダ。
【請求項２】
無線カードに質問波を送信し前記無線カードが送り返す応答波を受信するアンテナ、および、前記応答波を処理し前記無線カードに記録した無線カード情報を読み取る無線カード情報処理部を有する無線カードリーダと、磁気カードに記録した磁気カード情報を抽出する磁気ヘッド、および、前記磁気ヘッドが抽出した前記磁気カード情報を読み取る磁気カード情報処理部を有する磁気カードリーダとを具備したＩＤカードリーダにおいて、前記磁気カードリーダに前記質問波を除去するノイズフィルタを設けたことを特徴とするＩＤカードリーダ。
【請求項３】
無線カードに質問波を送信し前記無線カードが送り返す応答波を受信するアンテナ、および、前記応答波を処理し前記無線カードに記録した無線カード情報を読み取る無線カード情報処理部を有する無線カードリーダと、磁気カードに記録した磁気カード情報を抽出する磁気ヘッド、および、前記磁気ヘッドが抽出した前記磁気カード情報を読み取る磁気カード情報処理部を有する磁気カードリーダとを具備したＩＤカードリーダにおいて、前記磁気カードを検出する磁気カード検出部と、この磁気カード検出部が前記磁気カードを検出した場合に、前記質問波の送信を停止させる制御部とを設けたことを特徴とするＩＤカードリーダ。
【請求項４】
無線カードに質問波を送信し前記無線カードが送り返す応答波を受信するアンテナ、および、前記応答波を処理し前記無線カードに記録した無線カード情報を読み取る無線カード情報処理部を有する無線カードリーダと、磁気カードに記録した磁気カード情報を抽出する磁気ヘッド、および、前記磁気ヘッドが抽出した前記磁気カード情報を読み取る磁気カード情報処理部を有する磁気カードリーダとを具備したＩＤカードリーダにおいて、前記磁気カードリーダによる前記磁気カード情報の処理を停止させる制御手段と、前記磁気カードを検出する磁気カード検出手段とを設け、前記磁気カード検出手段が前記磁気カードを検出した場合に、前記質問波の送信を停止させ、かつ、前記磁気カードリーダによる前記磁気カード情報の処理停止を解除することを特徴とするＩＤカードリーダ。
【発明の詳細な説明】
【０００１】
【発明の属する技術分野】
本発明は、無線カードに記録した無線カード情報および磁気カードに記録した磁気カード情報の２種類のカード情報を読み取るＩＤカードリーダに関する。
【０００２】
【従来の技術】
ＩＤカードリーダは、たとえば特定の入場者に対してのみ入場を許可する入室管理などに使用されている。ＩＤカードリーダには、カード情報の読み取りに電波を利用する無線カードリーダ、あるいは、カード情報の読み取りに磁気を利用する磁気カードリーダなどがある。そして、入場者が無線カードを携帯する場合は無線カードリーダを利用し、入場者が磁気カードを携帯する場合は磁気カードリーダを利用する。したがって、無線カードを携帯する入場者と磁気カードを携帯する入場者が混在する場合は、無線カードリーダおよび磁気カードリーダの２種類のカードリーダが併用される。
【０００３】
２種類のカードリーダを併用する場合、無線カードリーダと磁気カードリーダを別ユニットで構成する方法、あるいは、無線カードリーダと磁気カードリーダを１つの筐体に内蔵する方法がある。
【０００４】
前者の別ユニットで構成する方法は小型化する利点がある。後者の１つの筐体に内蔵する方法は、ゲート付きやフラッパー付きの装置に採用され、一般に、別ユニットで構成する方法に比べて大型化する。
【０００５】
ここで、従来のＩＤカードリーダについて図５を参照して説明する。図５は無線カードリーダと磁気カードリーダを別ユニットで構成した場合で、図５の（ａ）は概略の構造図、（ｂ）は回路構成図である。
【０００６】
図５（ａ）に示すように、無線カードリーダ５０および磁気カードリーダ６０はそれぞれ別の筐体５１、６１で構成され、両者はゲート（図示せず）などの近傍に所定間隔Ｌで互いに近接して配置される。磁気カードリーダ６０の筐体６１には、その一部に、磁気カード６２を案内する狭い溝状ガイド６１ａが設けられている。
【０００７】
上記の配置で、入場者が無線カード５２を携帯する場合は、無線カード５２を無線カードリーダ５０に接近させる。このとき、無線カード５２は無線カードリーダ５０が送信する質問波を受信し、無線カードリーダ５０に向って応答波を送り返す。この応答波をもとに、無線カードリーダ５０によりカード情報が読み取られる。入場者が磁気カード６２を携帯する場合は、磁気カード６２を溝状ガイド６１ａに沿って移動させ、移動中にそのカード情報が磁気カードリーダ６０で読み取られる。そして、無線カードリーダ５０や磁気カードリーダ６０の読取り結果によってゲートなどの開閉が行われる。点線Ｐは無線カードリーダ５０が無線カード５２に向けて送信する質問波の放射パターンを示している。
【０００８】
次に、上記したＩＤカードリーダの動作について図５（ｂ）の回路構成図を参照して説明する。無線カードリーダ５０は、無線カード５２に送信するための質問波を生成し増幅する送信部５０ａおよび送受切換部５０ｂ、質問波を無線カード５２に向けて送信し、かつ無線カード５２が送り返す応答波を受信するアンテナ５０ｃなどから構成されている。アンテナ５０ｃで受信された応答波は受信部５０ｄで増幅される。その後、無線カード情報処理部５０ｅで応答波が処理され、無線カード５２に記録された無線カード情報、たとえば各無線カード５２に固有の無線カード識別番号Ｄ１が読み取られる。無線カード情報処理部５０ｅが検出した無線カード識別番号Ｄ１は照合部７０に供給される。
【０００９】
磁気カードリーダ６０は、溝状ガイド６１ａに沿ってたとえば矢印Ｙ方向に移動する磁気カード６２から、その磁気カード６２に記録されている磁気カード情報を抽出する磁気ヘッド６０ａなどから構成されている。磁気ヘッド６０ａで抽出された磁気カード情報は。その後、磁気カード情報処理部６０ｂで処理され、たとえば各磁気カード６２に固有の磁気カード識別番号Ｄ２が読み取られる。磁気カード情報処理部６０ｂが検出した磁気カード識別番号Ｄ２は照合部７０に供給される。
【００１０】
照合部７０は、無線カード識別番号Ｄ１あるいは磁気カード識別番号Ｄ２と、記憶部７１に記録されている入室を許可する入場者の入室許可識別番号Ｄ０とを比較し、比較した識別番号どうしが一致するかどうかを照合する。そして、その照合結果が開閉制御部７２に送られる。
【００１１】
開閉制御部７２は、照合部７０における照合結果が「一致」の場合は、たとえばゲート７３を開き、「不一致」の場合はゲート７３を閉じる。
【００１２】
上記の構成において、入場者が無線カード５２を携帯する場合は、無線カードリーダ５０によって無線カード情報が読み取られる。入場者が磁気カード６２を携帯する場合は、磁気カードリーダ６０によって磁気カード情報が読み取られる。このようにして入場者に対する入室管理が行われる。
【００１３】
次に、もう１つの従来例について図６を参照して説明する。図６は、図５に共通する部分に同じ符号を付し、重複する説明を一部省略する。
【００１４】
この例は、１つの筐体８０に、無線カードリーダ５０および磁気カードリーダ６０が内蔵されている。符号８１はゲートで、入場者の入室を許可する場合は、その先端８１ａが矢印Ｙの向きにたとえば９０°回転して進入路を開く。入室を許可しない場合は、ゲート８１は図のような配置で進入路を閉じる。
【００１５】
図６の無線カードリーダ５０および磁気カードリーダ６０の回路構成や動作は、図５の場合とほぼ同じであるため、その説明は省略する。
【００１６】
【発明が解決しようとする課題】
従来のＩＤカードリーダは、無線カードおよび磁気カードの２種類のカード情報を読み取る場合、図５に示すように、無線カードリーダ５０と磁気カードリーダ６０を別ユニットで構成する方法、あるいは、図６に示すように、無線カードリーダ５０と磁気カードリーダ６０を共通の１つの筐体８０に内蔵する方法が採用されている。
【００１７】
この場合、無線カードリーダ５０がカード情報を読み取ることができる範囲、つまり質問波が届く有効読取距離を長くすると、無線カードリーダ５０の質問波による磁気カードリーダ６０への干渉が増大する。
【００１８】
磁気カードリーダ６０に対する干渉が強くなると、磁気カードリーダの磁気ヘッドの動作などに影響し、磁気カードのカード情報を正しく抽出できない場合がある。また、カード情報を読み取っていない場合でも、カード情報を読み取っていると判断してデータ処理を行い、データエラーが発生する。データエラーが頻繁に発生すると、カード情報を実際に抽出しても、データ処理中と判断し、読み取りが許可されない場合がある。
【００１９】
上記した理由から、無線カードリーダと磁気カードリーダを併用する場合、質問波による干渉が生じないように、両者の間隔を大きくする必要がある。そのため、無線カードリーダと磁気カードリーダを設置するための場所が広くなり、あるいは、装置全体が大型化する。
【００２０】
本発明は、上記した欠点を解決し、設置場所を狭くでき、小型化が可能なＩＤカードリーダを提供することを目的とする。
【００２１】
【課題を解決するための手段】
本発明は、無線カードに質問波を送信し前記無線カードが送り返す応答波を受信するアンテナ、および、前記応答波を処理し前記無線カードに記録した無線カード情報を読み取る無線カード情報処理部を有する無線カードリーダと、磁気カードに記録した磁気カード情報を抽出する磁気ヘッド、および、前記磁気ヘッドが抽出した前記磁気カード情報を読み取る磁気カード情報処理部を有する磁気カードリーダとを具備したＩＤカードリーダにおいて、前記無線カードリーダと前記磁気カードリーダとの間にシールド装置を配置したことを特徴とする。
【００２２】
【発明の実施の形態】
本発明の実施形態について図１を参照して説明する。
【００２３】
無線カードリーダ１１は、質問波を生成し増幅する送信部１１ａおよび送受切換部１１ｂ、無線カード１２に向けて質問波Ｓを送信し、無線カード１２が送り返す応答波Ｒを受信するアンテナ１１ｃなどから構成されている。アンテナ１１ｃで受信された応答波は受信部１１ｄで増幅される。その後、応答波Ｒは無線カード情報処理部１１ｅで処理され、無線カード１２に記録されたカード情報、たとえば各無線カードに固有の無線カード識別番号Ｄ１が読み取られる。無線カード情報処理部１１ｅが読み取った無線カード識別番号Ｄ１は照合部１３に供給される。
【００２４】
アンテナ１１ｂが送信する質問波の放射パターンＰは、たとえば符号Ｐ１で示す主ローブおよび符号Ｐ２で示す副ローブなどから形成されている。
【００２５】
磁気カードリーダ１４は、たとえばその筐体部分に形成された磁気カード１５を案内する溝状ガイド１４ａ、および溝状ガイド１４ａを移動する磁気カード１５から、その磁気カード１５に記録された磁気カード情報を抽出する磁気ヘッド１４ｂなどから構成されている。磁気ヘッド１４ｂが抽出した磁気カード情報は磁気カード情報処理部１４ｃに送られ、各磁気カード１５に固有のカード情報、たとえば磁気カード識別番号Ｄ２が読み取られる。磁気カード情報処理部１４ｃが読み取った磁気カード識別番号Ｄ２は照合部１３に供給される。
【００２６】
また、無線カードリーダ１１と磁気カードリーダ１４との間に、導電体で形成したシールド装置１６が配置され、シールド装置１６は接地部分Ｇに接続されている。
【００２７】
照合部１３は、無線カード情報処理部１１ｅで読み取られた無線カード識別番号Ｄ１、あるいは、磁気カード情報処理部１４ｃで読み取られた磁気カード識別番号Ｄ２と、記録部１７に記録されている入室を許可する入場者の入室許可識別番号Ｄ０とを比較し、比較した識別番号どうしが一致するかどうかを照合する。そして、その照合結果が開閉制御部１８に送られる。
【００２８】
開閉制御部１８は、無線カード識別番号Ｄ１あるいは磁気カード識別番号Ｄ２と、入室許可識別番号Ｄ０とが一致する場合はゲート１９を開き、一致しない場合はゲート１９を閉じる。このようにして入室を許可した入場者のみが入室できる、いわゆる入室管理が行われる。
【００２９】
上記の構成で、入場者が無線カードを携帯する場合は、無線カードリーダ１１によって、無線カード１２に記録した固有のカード情報、たとえば無線カード識別番号Ｄ１が読み取られる。また、入場者が磁気カード１５を携帯する場合は、磁気カードリーダ１４によって、磁気カード１５に記録した固有のカード情報、たとえば磁気カード識別番号Ｄ２が読み取られる。
【００３０】
図１の実施形態は、磁気カードリーダ１４に対する質問波の干渉を防止するために、無線カードリーダ１１と磁気カードリーダ１４との間にシールド装置１６を配置している。この場合、シールド装置１６に代えて、あるいはシールド装置１６とともに、磁気カードリーダ１４部分に、質問波を除去するノイズフィルタを設けることもできる。
【００３１】
たとえば、図２（ａ）に示すように、磁気ヘッド１４ａを構成する磁性体２１に巻かれたコイル２２の２つの端子Ｔ１、Ｔ２間に、インピーダンス素子たとえば抵抗２３を接続する。この場合、磁気ヘッド１４ａに加わった質問波成分が抵抗２３で吸収される。
【００３２】
また、図２（ｂ）に示すように、磁気カード情報が伝送する伝送路２４を環状磁性体２５たとえばフェライトリングに通してノイズフィルタを構成する。この場合、伝送路２４を伝送する質問波成分が環状磁性体２５によって吸収され減衰する。なお、ノイズフィルタを用いる場合、ノイズフィルタを構成する各回路素子のたとえば定数や寸法などは、質問波の周波数成分が選択的に減衰する値に設定する。
【００３３】
上記した構成によれば、無線カードリーダ１１と磁気カードリーダ１４との間にシールド装置が配置され、あるいは、磁気カードリーダ１４にノイズフィルタが設けられている。この場合、シールド装置によって質問波が遮蔽され、あるいは、磁気カードリーダに入力した質問波が減衰され、磁気カードリーダに対する質問波の干渉が防止される。
【００３４】
そのため、無線カードリーダ１１と磁気カードリーダ１４の間隔を小さくでき、設置場所が狭く、小型なＩＤカードリーダが実現される。また、質問波による干渉が減少し、無線カードリーダ１１の有効読取距離を大きくできる。
【００３５】
さらに、磁気カードリーダ１４がカード情報を抽出していない場合に、カード情報を抽出していると判断してデータ処理を行うようなことがなくなる。したがって、カード情報が実際に抽出された場合に、データ処理中として読み取りが許可されないなどの問題も解消する。
【００３６】
次に、本発明の他の実施形態について図３を参照して説明する。図３は、図１に対応する部分に同じ符号を付し、重複する説明を一部省略する。
【００３７】
この実施形態の場合、無線カードリーダ１１、たとえばその送信部１１ａの動作を停止する制御部３１が設けられている。また、磁気カードリーダ１４のたとえば溝状ガイド１４ａ部分に、磁気カード１５の有無を検出する磁気カード検出部３２が設けられている。また、照合部１３と開閉制御部１８との間に、識別番号どうしの照合動作が終了したか否かを検出する照合動作終了検出部３３が設けられている。
【００３８】
磁気カード検出部３２は、たとえば溝状ガイド１４ａを横切る向きに光路を形成し、磁気カード１５の移動で光路が遮断された場合に、「磁気カードあり」として検出する。
【００３９】
上記の構成で、磁気カード検出部３２で磁気カード１５が検出されると、その検出情報が制御部３１に送られる。そして、制御部３１の制御で送信部１１ａに対し質問波の送信を停止させる。この場合、磁気カードリーダ１４がカード情報を処理する間は質問波が停止する。したがって、磁気カードリーダ１４によるカード情報の読み取り動作などに対する質問波の妨害がなくなり、カード情報の読み取り精度が向上する。
【００４０】
なお、照合動作終了検出部３３において、磁気カード識別番号Ｄ２と入室許可識別番号Ｄ０との照合動作の終了が検出されると、制御部３１の制御により、送信部１１ａを動作状態にし、質問波の送信が再開する。
【００４１】
次に、本発明の他の実施形態について図４を参照して説明する。図４は、図１および図３に対応する部分に同じ符号を付し、重複する説明を一部省略する。
【００４２】
この実施形態の場合、磁気カードリーダ１４に情報処理制御部４１が設られている。情報処理制御部４１は、磁気カード検出部３２が磁気カード１５を検出するまでは、磁気カードリーダ１４の動作、たとえば磁気カード情報処理部１４ｃによるカード情報の読み取り動作を停止させる。そして、磁気カード１５が検出された場合に、情報処理制御部４１は、磁気カード情報処理部１４ｃの動作停止を解除し、これにより磁気カード情報処理部１４ｃはカード情報の読み取り動作を開始する。
【００４３】
また、磁気カード１５が検出された場合、図３の実施形態の場合と同様に、制御部３１の制御により、送信部１１ａに対し質問波の送信を停止する。
【００４４】
その後、照合動作終了検出部３３で、磁気カード識別番号Ｄ２と入室許可識別番号Ｄ０との照合動作の終了が検出されると、制御部３１の制御で送信部１１ａに対して質問波の送信を再開させる。これと同時に、情報処理制御部４１の制御により、磁気カード情報処理部１４ｃはカード情報の読み取りを停止する。
【００４５】
上記した構成によれば、磁気カードリーダ１４は磁気カード１５を検出した場合にのみカード情報を処理する。そのため、磁気カードを検出していない場合に、質問波の干渉でカード情報が入力していると判断するようなことがなくなる。したがって、カード情報を実際に抽出した場合に、誤ってデータ処理中と判断し、読み取りが許可されないようなことがなくなる。
【００４６】
上記の各実施形態では、質問波の干渉を防止するために、シールド装置やノイズフィルタを設け、あるいは、質問波の送信を停止し、磁気カードリーダの読み取り動作を停止させている。これらの方法は、それぞれを独立して利用することもでき、あるいは、これら複数の方法を組み合わせて用いることもできる。しかし、複数の方法を組み合わせた方が、より確実な効果が得られる。
【００４７】
また、上記の実施形態はゲートを開閉する入室管理の場合で説明している。しかし、本発明はドアなどに取り付けた鍵を開閉する入室管理などにも適用できる。また、入室管理に限らず、無線カードリーダおよび磁気カードリーダを併用するその他のＩＤカードリーダにも適用できる。
【００４８】
上記した本発明の構成によれば、無線カードリーダと磁気カードリーダを併用する場合に、無線カードリーダの質問波による磁気カードリーダへの干渉が減少する。その結果、無線カードリーダと磁気カードリーダを接近して配置することができ、設置場所が狭く、小型化が容易なＩＤカードリーダが実現する。
【００４９】
【発明の効果】
本発明によれば、無線カードリーダおよび磁気カードリーダを併用する場合に、設置場所が狭く、小型なＩＤカードリーダを実現できる。
【図面の簡単な説明】
【図１】本発明の実施形態を説明するための回路構成図である。
【図２】本発明に使用するノイズフィルタを説明するための概略の構造図である。
【図３】本発明の他の実施形態を説明するための回路構成図である。
【図４】本発明の他の実施形態を説明するための回路構成図である。
【図５】従来例を説明するための概略の構造図および回路構成図である。
【図６】従来例を説明するための概略の構造図である。
【符号の説明】
１１…無線カードリーダ
１１ａ…送信部
１１ｂ…送受切換部
１１ｃ…アンテナ
１１ｄ…受信部
１１ｅ…無線カード情報処理部
１２…無線カード
１３…照合部
１４…磁気カードリーダ
１４ａ…溝状ガイド
１４ｂ…磁気ヘッド
１４ｃ…磁気カード情報処理部
１５…磁気カード
１６…シールド装置
１７…記録部
１８…開閉制御部
１９…ゲート
【図１】
2005070885.tif 000003
【図２】
2005070885.tif 000004
【図３】
2005070885.tif 000005
【図４】
2005070885.tif 000006
【図５】
2005070885.tif 000007
【図６】
2005070885.tif 000008